(57)【要約】      （修正有）【課題】前側方及び後側方からの体液の漏れを良好に防止でき、且つ装着感に優れた吸収性物品を提供する。【解決手段】透液性の表面シートと、不透液性の裏面シートと、それらの間に設けられた吸収体とを有する細長形状の本体を備えた吸収性物品であって、本体には、表面シート側から裏面シート側に向かって圧搾溝が形成され、本体の略長手方向に沿って延びる中心線を対称軸として線対称に形成された一対の中央部圧搾溝と、中央部圧搾溝の前側方及び後側方に中心線を対称軸として線対称に形成された一対の前側方圧搾溝、後側方圧搾溝とを有し、一対の前側方及び後側方圧搾溝がそれぞれ、第１圧搾溝とそれより中心線から離れて配置された第２圧搾溝とを含み、両圧搾溝は円弧状で、円弧が内向きに配置されており、中央部圧搾溝の延長線が、第１、第２圧搾溝の各々一方の端部の間を通り、且つ第１圧搾溝の他方の端部と第２圧搾溝の他方の端部との間を通らない。【選択図】図１
2018083016.tif 000002
【特許請求の範囲】
【請求項１】
透液性の表面シートと、不透液性の裏面シートと、前記表面シートと前記裏面シートとの間に設けられた吸収体とを有する細長形状の本体を備えた吸収性物品であって、
前記本体には、前記表面シート側から前記裏面シート側に向かって圧搾溝が形成されており、
前記圧搾溝は、前記本体の略長手方向に沿って、前記本体の長手方向に延びる中心線を対称軸として線対称に形成された一対の中央部圧搾溝と、前記中央部圧搾溝の前側方に前記中心線を対称軸として線対称に形成された一対の前側方圧搾溝と、前記中央部圧搾溝の後側方に前記中心線を対称軸として線対称に形成された一対の後側方圧搾溝とを有し、
前記一対の前側方圧搾溝及び前記一対の後側方圧搾溝がそれぞれ、第１圧搾溝と当該第１圧搾溝より前記中心線から離れて配置された第２圧搾溝とを含み、
前記第１圧搾溝及び前記第２圧搾溝は円弧状であって、両圧搾溝の円弧の内側が互いに向き合うように配置されており、
前記中央部圧搾溝の延長線が、前記第１圧搾溝の一方の端部と前記第２圧搾溝の一方の端部との間を通り、且つ前記第１圧搾溝の他方の端部と前記第２圧搾溝の他方の端部との間を通らない、吸収性物品。
【請求項２】
前記第１圧搾溝の両端部を結ぶ線分及び前記第２圧搾溝の両端部を結ぶ線分が、前記中心線と３０°〜６０°の角度をなす、請求項１に記載の吸収性物品。
【請求項３】
前記第１圧搾溝の両端部を結ぶ線分が延びる方向で見て、
前記第２圧搾溝の、前記中央部圧搾溝に近い方の端部が、前記第１圧搾溝の、前記中央部圧搾溝に近い方の端部に対して前記方向の一方側にずらされており、且つ
前記第２圧搾溝の、前記中央部圧搾溝から遠い方の端部が、前記第１圧搾溝の、前記中央部圧搾溝から遠い方の端部に対して前記一方側にずらされている、請求項１又は２に記載の吸収性物品。
【請求項４】
前記第１圧搾溝の両端部を結ぶ線分が延びる方向で見て、
前記第１圧搾溝の両端部を結ぶ線分の中点と、前記第２圧搾溝の、前記中央部圧搾溝に近い方の端部との距離が、前記第１圧搾溝の両端部を結ぶ線分の長さの０〜０．１５倍である、請求項３に記載の吸収性物品。
【請求項５】
前記第１圧搾溝の両端部を結ぶ線分と前記第２圧搾溝の両端部を結ぶ線分との間の距離が、前記第１圧搾溝の両端部を結ぶ線分の長さの０〜０．２倍である、請求項３に記載の吸収性物品。
【請求項６】
前記第１圧搾溝及び前記第２圧搾溝は、１３５°〜１８０°の角度を有する円弧形状を有する、請求項１又は２に記載の吸収性物品。
【発明の詳細な説明】
【技術分野】
【０００１】
本発明は、吸収性物品に関する。
【背景技術】
【０００２】
従来、パンティライナー、生理用ナプキン、失禁パッド等の吸収性物品として、透液性の表面シートとの不透液性の裏面シートとの間に吸収体が設けられたものが知られている。さらに近年、体液漏れ等を防止するために、より身体に密着する構成を有する吸収性物品が知られている。
【０００３】
例えば、特許文献１には、肌当接面に圧縮溝が形成された吸収性物品であって、圧縮溝が、排泄部当接領域において長手方向に沿って配置される一対の第１中央溝と、前方領域及び後方領域の少なくともいずれかに幅方向における一方側に偏って配置される第１環状溝とを備え、第１環状溝は、縦中心線に重なる位置に配置されるとともに、曲線部分および一つの内側に凸となった屈曲点を有し、内側に凸となった屈曲点は縦中心線と重ならない位置に位置している吸収性物品が開示されている。
【０００４】
また、特許文献２には、肌当接面側に、平面視で、幅方向外側に凸に湾曲した左溝及び右溝、並びに長手方向外側に凸に湾曲した前溝及び後溝が設けられており、各溝はそれぞれ分離しており、左溝及び右溝の前端部は、前溝の後端部よりも長手方向前側に且つ幅方向内側に位置し、左溝及び右溝の後端部は、後溝の前端部よりも長手方向後側に且つ幅方向内側に位置しており、左溝及び右溝の形状は、長手方向中心線及び幅方向中心線に対して線対称となっており、前溝及び後溝の形状は、長手方向中心線に対して線対称となっている生理用ナプキンが開示されている。
【先行技術文献】
【特許文献】
【０００５】
【特許文献１】特許第５７５５８５６号公報
【特許文献２】特許第４７５７０３９号公報
【発明の概要】
【発明が解決しようとする課題】
【０００６】
特許文献１に記載の吸収性物品は、吸収性物品周辺からの体液の漏れに配慮した構成になっている。しかしながら、複数の圧縮溝が連結して、また連なって形成されているため、特に前側方及び後側方でのごわつきが生じやすく、快適な装着感が損なわれる可能性がある。
【０００７】
特許文献２に記載の生理用ナプキンでは、左溝及び右溝に沿って前後方向に拡散した体液が前側方及び後側方へ拡散し、漏れを十分に防止できない場合がある。また、特許文献２には、ナプキンの側縁部に沿うようにして幅方向内側に凸に湾曲した一対のサイド溝をさらに設ける形態も記載されているが、そのような形態では、違和感が大きくなる可能性がある。
【０００８】
上記の点に鑑みて、本発明は、前側方及び後側方からの体液の漏れを良好に防止でき、且つ装着感に優れた吸収性物品を提供することを課題とする。
【課題を解決するための手段】
【０００９】
上記課題を解決するため、本発明の第一の形態は、透液性の表面シートと、不透液性の裏面シートと、前記表面シートと前記裏面シートとの間に設けられた吸収体とを有する細長形状の本体を備えた吸収性物品であって、前記本体には、前記表面シート側から前記裏面シート側に向かって圧搾溝が形成されており、前記圧搾溝は、前記本体の略長手方向に沿って、前記本体の長手方向に延びる中心線を対称軸として線対称に形成された一対の中央部圧搾溝と、前記中央部圧搾溝の前側方に前記中心線を対称軸として線対称に形成された一対の前側方圧搾溝と、前記中央部圧搾溝の後側方に前記中心線を対称軸として線対称に形成された一対の後側方圧搾溝とを有し、前記一対の前側方圧搾溝及び前記一対の後側方圧搾溝がそれぞれ、第１圧搾溝と当該第１圧搾溝より前記中心線から離れて配置された第２圧搾溝とを含み、前記第１圧搾溝及び前記第２圧搾溝は円弧状であって、両圧搾溝の円弧の内側が互いに向き合うように配置されており、前記中央部圧搾溝の延長線が、前記第１圧搾溝の一方の端部と前記第２圧搾溝の一方の端部との間を通り、且つ前記第１圧搾溝の他方の端部と前記第２圧搾溝の他方の端部との間を通らない。
【００１０】
上記第一の形態では、中央部圧搾溝の前側方及び後側方のそれぞれに、一対の前側方圧搾溝及び一対の後側方圧搾溝が設けられている。この一対の前側方圧搾溝及び一対の後側方圧搾溝はそれぞれ第１圧搾溝と第２圧搾溝とを含み、第１圧搾溝及び第２圧搾溝は円弧状であって、両圧搾溝の円弧の内側が互いに向き合うように配置されている。そして、中央部圧搾溝の延長線が、第１圧搾溝の一方の端部と第２圧搾溝の一方の端部との間を通り、且つ第１圧搾溝の他方の端部と２圧搾溝の他方の端部との間を通らないようになっている。これにより、中央部圧搾溝に沿って前方及び後方に拡散してきた体液を、前側方圧搾溝及び後側方圧搾溝に容易に引き込むことができる。具体的には、第１圧搾溝と第２圧搾溝との間に体液を引き込み、第１圧搾溝と第２圧搾溝との間に形成される通路に沿って、蛇行するように体液を導くことができる。その結果、前側方及び後側方への体液の拡散を抑制し、前側方及び後側方への漏れを良好に防止することができる。
【００１１】
また、本形態では、中央部圧搾溝の延長線が、第１圧搾溝と第２圧搾溝との間を通るように構成されており、中央部圧搾溝と前側方圧搾溝とは連続的に設けられておらず、また中央部圧搾溝と後側方圧搾溝とは連続的に設けられていない。そのため、圧搾溝のごわごわ感を低減することができる。さらに、前側方圧搾溝及び後側方圧搾溝がそれぞれ、第１圧搾溝及び第２圧搾溝の２つの別個の円弧状の圧搾溝を含むことも、ごわつきの低減に寄与する。
【００１２】
本発明の第二の形態では、前記第１圧搾溝の両端部を結ぶ線分及び前記第２圧搾溝の両端部を結ぶ線分が、前記中心線と３０°〜６０°の角度をなす。
【００１３】
上記第二の形態によれば、第１圧搾溝及び第２圧搾溝が所定の方向に傾けられているので、特に側方への体液の拡散を抑制する作用が一層発揮され、前側方及び後側方への体液の漏れを防止する効果をさらに高めることができる。
【００１４】
本発明の第三の形態では、前記第１圧搾溝の両端部を結ぶ線分が延びる方向で見て、前記第２圧搾溝の、前記中央部圧搾溝に近い方の端部が、前記第１圧搾溝の、前記中央部圧搾溝に近い方の端部に対して前記方向の一方側にずらされており、且つ前記第２圧搾溝の、前記中央部圧搾溝から遠い方の端部が、前記第１圧搾溝の、前記中央部圧搾溝から遠い方の端部に対して前記一方側にずらされている。
【００１５】
上記第三の形態によれば、第１圧搾溝と第２圧搾溝とが所定の方向にずらされているので、中央部圧搾溝から伝わってきた体液を第１圧搾溝と第２圧搾溝との間へ引き込む作用、及び体液を蛇行させて誘導する作用が一層高まり、急激な体液の排出が起こった場合でも、特に側方からの漏れを良好に防止することができる。
【００１６】
本発明の第四の形態では、前記第１圧搾溝の両端部を結ぶ線分が延びる方向で見て、前記第１圧搾溝の両端部を結ぶ線分の中点と、前記第２圧搾溝の、前記中央部圧搾溝に近い方の端部との距離が、前記第１圧搾溝の両端部を結ぶ線分の長さの０〜０．１５倍である。
【００１７】
上記第四の形態によれば、第１圧搾溝と第２圧搾溝との所定方向でのずれを所定の範囲とすることで、体液を第１圧搾溝と第２圧搾溝との間に引き込む作用がさらに一層高められる。また、吸収体が硬くなることを防止し、装着感を一層向上させることができる。
【００１８】
本発明の第五の形態では、前記第１圧搾溝の両端部を結ぶ線分と前記第２圧搾溝の両端部を結ぶ線分との間の距離が、前記第１圧搾溝の両端部を結ぶ線分の長さの０〜０．２倍である。
【００１９】
上記第五の形態によれば、第１圧搾溝と第２圧搾溝とを所定の配置で向かい合わせているので、第１圧搾溝と第２圧搾溝との間に体液を引き込む効果を一層向上させる。
【００２０】
本発明の第六の形態では、前記第１圧搾溝及び前記第２圧搾溝は、１３５°〜１８０°の角度を有する円弧形状を有する。
【００２１】
上記第六の形態によれば、第１圧搾溝及び第２圧搾溝の円弧形状が、１８０°以下の所定の角度を有するので、体液を第１圧搾溝と第２圧搾溝との間に引き込む作用を維持しつつ、吸収体が硬くなってごわつくことを防止でき、装着感を向上させることができる。
【発明の効果】
【００２２】
本発明の一形態によれば、前側方及び後側方からの体液の漏れを良好に防止でき、且つ装着感に優れた吸収性物品が提供される。
【図面の簡単な説明】
【００２３】
【図１】本発明の一形態による吸収性物品の一部破断図である。
【図２】本発明の一形態による吸収性物品のＩ−Ｉ線断面図である。
【図３】本発明の一形態による吸収性物品の圧搾溝を説明する図である。
【図４】本発明の一形態による吸収性物品の圧搾溝を説明する図である。
【図５】本発明の一形態による吸収性物品の圧搾溝を説明する図である。
【図６】本発明の一形態による吸収性物品の圧搾溝の別の形状を示す図である。
【発明を実施するための形態】
【００２４】
以下、本発明の実施の形態について図面を参照しながら説明する。
【００２５】
（吸収性物品の基本構造）
吸収性物品１は、図１及び図２に示すように、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。
【００２６】
本体８は、図１に示すように、全体としては、前後方向に所定の長さを有する細長い形状であり、前後方向と直交する方向に略一定の幅を有している。そして、吸収性物品１は、前後方向に延びる中心線ＣＬに対し略線対称の形状になっている。
【００２７】
吸収体４の前方及び後方の端縁部では、裏面シート２の外縁と表面シート３の外縁とが、ホットメルト等の接着剤やヒートシール、超音波シール等の接着手段によって接合されている。また、表面シート側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、本体８の両側部にヒップホールド部Ｈの側部領域１０及びウィングＷＧが形成されている。
【００２８】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００２９】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法の内、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３０】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（sｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３１】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３２】
吸収体４の厚みは、０．５〜２５ｍｍの範囲内とすることができ、１．５〜６．５ｍｍの範囲であると好ましい。吸収体４は、前面にわたり均一な厚みを有していなくともよく、体液排出部位に対応した部分を膨出させた構造とすることもできる。また、吸収体４は、積繊又はエアレイド法によって製造されたものが好ましい。
【００３３】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロリド系撥水剤などをコーティングした撥水処理不織布を用いることが好ましい。また、ヒップホールド部Ｈにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００３４】
ウィングＷＧの外縁には、図１に示すように、サイド不織布７と裏面シート２との接合のため及び剛性を高めるために、所定の箇所に、ドットエンボスＤや所定の形状を有するエンボスＥを施すエンボス加工部を設けることができる。
【００３５】
吸収性物品１の全長は、１３０〜４５０ｍｍとすることができ、１４０〜３６０ｍｍであってよく、１７０〜２７０ｍｍとすることができる。
【００３６】
（圧搾溝）
本形態の吸収性物品１には、図１に示すように、複数の圧搾溝が設けられている。この圧搾溝（フィットエンボスとも言う）は、使用者の身体へのフィット性を高めることを目的として、身体の形状に適合するような吸収性物品１の変形を容易にするために、表面シート３側から裏面シート２側に向かって設けられたものである。
【００３７】
圧搾溝は、長手方向に延びる中心線ＣＬを対称軸として線対称に形成されている。圧搾溝は、長手方向に沿って延在する一対のほぼ直線状の中央部圧搾溝２１、２１と、中央部圧搾溝２１、２１の前側方に形成された一対の前側方圧搾溝２３、２３と、中央部圧搾溝の後側方に形成された一対の後側方圧搾溝２４、２４とを含む。また、圧搾溝は、前側方圧搾溝２３、２３の間からさらに前方に延びる、図１で見て略ハート形の前方圧搾溝２５と、後側方圧搾溝２４、２４の間からさらに後方に延びる、図１で見て略逆ハート形の後方圧搾溝２６とを備えていてよい。
【００３８】
図示の形態では、圧搾溝の幅は同じになっているが、各圧搾溝の幅は互いに異なっていてもよい。また、１つの圧搾溝について、圧搾溝の幅は同じであってもよいし異なっていてもよい。
【００３９】
中央部圧搾溝２１、２１は、装着時に体液排出部に対応する領域（以下、体液排出部対応領域とも言う）１３を両側から挟むようにして略長手方向に沿って配置されている。中央部圧搾溝２１、２１は、吸収体４を含む本体８のヨレを防止すると共に、排出された体液の側方への拡散（浸出）を抑制し、側方への体液の漏れを防止する働きを有し得る。図１の形態では、中央部圧搾溝２１、２１は、長手方向中心線ＣＬ側（内側）にやや湾曲する形状、つまり両端が中心線ＣＬにより近付いている形状を有している。しかし、中央部圧搾溝２１、２１は、直線状に延びていてもよいし、外側に湾曲する形状、つまり両端が中心線ＣＬから離れるような形状を有していてもよい。
【００４０】
一対の前側方圧搾溝２３、２３は、吸収体４の幅が前方に向かって縮小し始める位置に、図１で見て左右の少なくとも２箇所に配置されている。また、一対の後側方圧搾溝２４、２４は、吸収体４の幅が後方に向かって縮小し始める位置に、図１で見て左右の少なくとも２箇所に配置されていてよい。
【００４１】
また、幅方向で見て、前側方圧搾溝２３、２３及び後側方圧搾溝２４、２４は、一対の中央部圧搾溝２１、２１の最も外側の位置（最も中心線ＣＬから離れた位置）を越えて延在している。すなわち、図１に示すように、中央部圧搾溝２１、２１は、前側方圧搾溝２３、２３及び後側方圧搾溝２４、２４が延在する、幅方向で見て最も外側の位置よりも、内側に（中心線ＣＬにより近い位置に）配置されている。そのため、特に違和感を生じやすい脚周りでのごわつきを抑えることができ、歩行や運動時の装着感を向上させることができる。
【００４２】
前側方圧搾溝２３、２３はそれぞれ、第１圧搾溝２３１と第１圧搾溝２３１より長手方向中心線ＣＬから離れて配置された第２圧搾溝２３２とを含む。また、後側方圧搾溝２４、２４はそれぞれ、第１圧搾溝２４１と第１圧搾溝より長手方向中心線ＣＬから離れて配置された第２圧搾溝２４２とを含んでいる。つまり、前側方圧搾溝２３、２３及び後側方圧搾溝２４、２４には、少なくとも合計８つの圧搾溝が含まれていてよい。
【００４３】
前側方圧搾溝２３に含まれる第１圧搾溝２３１及び第２圧搾溝２３２は、いずれも円弧状の形状を有する。第１圧搾溝２３１と第２圧搾溝２３２とは、両圧搾溝２３１、２３２の円弧の内側が互いに向き合うように、つまり第１圧搾溝２３１の両端部と第２圧搾溝２３２の両端部とが互いにより近付くように配置されている。同様に、後側方圧搾溝２４に含まれる第１圧搾溝２４１及び第２圧搾溝２４２はいずれも円弧状であり、第１圧搾溝２４１と第２圧搾溝２４２とは、両圧搾溝２３１、２３２の円弧の内側が互いに向き合うように配置されている。
【００４４】
前側方圧搾溝２３及び後側方圧搾溝２４に含まれる第１圧搾溝及び第２圧搾溝は、互いに同じ形状を有していてもよいし、異なる形状を有していてもよい。また、第１圧搾溝及び第２圧搾溝の大きさも互いに同じであってもよく、異なっていてもよい。
【００４５】
以下、前側方圧搾溝２３、２３及び後側方圧搾溝２４、２４の形状及び配置についてより詳細に説明する。図３〜５はいずれも、本形態の吸収性物品１を部分的に拡大した概略図であって、一方の前側方圧搾溝２３の配置を示している。
【００４６】
図３〜５においては、１つの前側方圧搾溝２３を代表例として示すが、少なくとも計４か所に設けられた前側方圧搾溝２３、２３及び後側方圧搾溝２４、２４の基本的な構成は同じであってよい。なお、一対の前側方圧搾溝２３、２３と一対の後側方圧搾溝２４、２４とでは、圧搾溝の形状、大きさ、及び配置（第１圧搾溝と第２圧搾溝との配置関係を含む）の１つ以上を変更することができる。
【００４７】
前側方圧搾溝２３は中央部圧搾溝２１と所定の配置関係で配置されている。すなわち、図３に示すように、中央部圧搾溝２１の延長線Ｌが、第１圧搾溝２３１の一方の端部２３１ａと第２圧搾溝２３２の一方の端部２３２ａとの間を通り、且つ第１圧搾溝２３１の他方の端部２３１ｂと第２圧搾溝２３２の他方の端部２３２ｂとの間を通らないようになっている。
【００４８】
具体的には、中央部圧搾溝２１の延長線Ｌが、第１圧搾溝２３１の、より中央部圧搾溝２１に近い方の端部２３１ａと、第２圧搾溝２３２の、より中央部圧搾溝２１に近い方の端部２３２ａとの間を通り、且つ第１圧搾溝２３１の、中央部圧搾溝２１からより離れた端部２３１ｂと、第２圧搾溝２３２の、中央部圧搾溝２１からより離れた端部２３２ｂとの間を通らないようになっている。
【００４９】
ここで、延長線Ｌは、圧搾溝の中央を通る線（中心線）の延長線で代表することもできるし、溝の幅を有する線の延長線であってもよい。延長線Ｌは、中央部圧搾溝２１が円弧状に湾曲している場合には、中央部圧搾溝２１の端部における接線としてもよい。また、中央部圧搾溝２１の端部側が略直線状に延びている場合には、その直線の延長線としてもよい。さらに、中央部圧搾溝２１が湾曲していてもほぼ直線に近い場合には、長手方向中心線ＣＬに平行に延びる線としてもよい。
【００５０】
吸収性物品１を使用した場合、体液は体液排出部対応領域１３と、場合によってはその近傍とに排出され、さらに前方及び後方並びに両側方へと拡散する。この時、中央部圧搾溝２１、２１の存在によって体液排出部対応領域１３から側方への拡散は抑制されるので、体液は中央部圧搾溝２１、２１に沿って前方及び後方へと誘導されやすくなる。
【００５１】
ここで、比較的大量の体液の排出又は急激な体液の排出が起こった場合や、歩行や運動時に吸収性物品に比較的大きな力がかかった場合等には、体液は、中央部圧搾溝２１、２１の端部を越えて前方及び／又は後方に拡散することがある。そうなると、体液は、前側方及び／又は後側方にも拡散し得るので、この拡散が漏れの原因となり得る。
【００５２】
ところで、近年、装着時の目立ちや違和感を軽減するため、或いは動きやすくするために、吸収体の厚みを薄くしたスリムタイプの吸収性物品の需要が増大している。そのようなスリムタイプの吸収性物品では、特に歩行時や運動時にその動きによって吸収性物品がヨレることで、上述のような前側方及び／又は後側方への体液の拡散が起こりやすく、漏れが起こりやすい。そのため、体液の漏れ防止により重点を置く場合には、従来の構成では、やはり吸収体の量を増やすという選択肢を採らざるを得ない。
【００５３】
これに対して、本形態では、前側方圧搾溝が２つの連結していない第１圧搾溝２３１及び第２圧搾溝２３２を有しており、中央部圧搾溝２１の延長線Ｌが、第１圧搾溝２３１の一端２３１ａと第２圧搾溝２３２の一端２３２ａとの間を通るように構成されている。そのため、中央部圧搾溝２１、２１に沿って前方及び後方へと誘導された体液を、前側方圧搾溝２３の内側へ、すなわち第１圧搾溝２３１と第２圧搾溝２３２との間へと引き込むことができる。
【００５４】
第１圧搾溝２３１と第２圧搾溝２３２との間へ引き込まれた体液は、第１圧搾溝２３１と第２圧搾溝２３２との間で拡散を続ける。しかし、第１圧搾溝２３１及び第２圧搾溝２３２が円弧状であって、円弧の内側が互いに向き合うように配置されており、また中央部圧搾溝２１の延長線Ｌが、第１圧搾溝２３１の他端２３１ｂと第２圧搾溝２３２の他端２３２ｂとの間を通らないように構成されているので、第１圧搾溝２３１と第２圧搾溝２３２との間に入った体液は、両者の間を素通りせず、第１圧搾溝２３１及び第２圧搾溝２３２にぶつかりながら浸出していく。前側方圧搾溝２３内での体液の通り方は、体液の量や粘性等によって異なるが、第１圧搾溝２３１及び第２圧搾溝２３２の少なくとも一方にぶつかりながら又は沿って、拡散していく。図１の形態では、体液は、中心線ＣＬにより近い第１圧搾溝２３１の円弧の湾曲に沿ってやや側方（外側）に向かった後、第２圧搾溝２３２で堰き止められ、中心線ＣＬ側（内側）又は前側方へ方向付けられる。これによって、前側方への体液の拡散を良好に抑制することができる。
【００５５】
別の言い方をすると、中央部圧搾溝２１に沿って前方に拡散してきた体液を、その方向を蛇行させるようにコントロールすることができる。これにより、体液の拡散速度を抑制することができ、急激な体液の排出が起こった場合でも、前側方での漏れ（後側方圧搾溝２４の場合には、後側方での漏れ）を防ぐことができる。
【００５６】
さらに、中央部圧搾溝２１、第１圧搾溝２３１、第２圧搾溝２３２は互いに連結したり重なったりしていない。そのため、複数の圧搾溝が比較的集中する配置であるにも関わらず、吸収体本体８が硬くならず、快適な装着感を維持することができる。そのため、装着した時の違和感は生じにくく、装着感に優れた吸収性物品１を提供することができる。
【００５７】
また、第１圧搾溝２３１及び第２圧搾溝２３２は、円弧の内側が互いに向き合うように、つまり両圧搾溝が所定の領域を囲うように配置されているので、吸収体本体８のクッション性を高めることがでる。これにより、歩行や運動によって吸収体本体８にヨレが生じても本体８の形状が容易に復元されるので、前側方圧搾溝２３及び後側方圧搾溝２４の領域がヘタりにくい。これにより、吸収体４の機能の低下を防ぐことができ、前側方及び後側方からの漏れを防止することができる。
【００５８】
なお、中央部圧搾溝２１の延長線Ｌが、第１圧搾溝２３１の一方の端部２３１ａと第２圧搾溝２３２の一方の端部２３２ａとを結ぶ線分の中点を通るようにしておくと、体液の引き込み効果をより一層高めることができる。
【００５９】
また、第１圧搾溝２３１の一方の端部（中央部圧搾溝２１に近い端部）２３１ａと第２圧搾溝２３２の一方の端部（中央部圧搾溝２１に近い端部）２３２ａとを結ぶ線分と、中央部圧搾溝２１の端部との距離ｃが、第１圧搾溝２３１の一方の端部２３１ａと第２圧搾溝２３２の一方の端部２３２ａとを結ぶ線分の長さの０．５〜２倍であることが好ましい。
【００６０】
本形態では、図４に示すように、第１圧搾溝２３１の両端部２３１ａ、２３１ｂを結ぶ線分が、中心線ＣＬと３０°〜６０°の角度α１をなしていると好ましい。また、第２圧搾溝２３２の両端部２３２ａ、２３２ｂを結ぶ線分も、中心線ＣＬと３０°〜６０°の角度α２をなしていると好ましい。
【００６１】
角度α１、α２は、中心線ＣＬと４０°〜３５°の角度をなしているとより好ましく、４５°の角度をなしているとさらに好ましい。上記角度範囲とすることで、特に、側方に向かう体液の流れ又は拡散の抑制作用を向上させることができる。
【００６２】
また、中央部圧搾溝２１の延長線Ｌが、第１圧搾溝２３１の一端２３１ａと第２圧搾溝２３２の一端２３２ａとの間を通り、且つ第１圧搾溝の他端２３１ｂと第２圧搾溝の他端２３２ｂとの間を通らないようになっているのであれば、角度α１、α２は、同じであってもよいし異なっていてもよい。しかし、角度α１と角度α２とが等しいと、側方への体液の拡散抑制の作用を維持しつつ、圧搾溝周辺の領域の吸収体が硬くなることを防止することができる。
【００６３】
また、第１圧搾溝２３１及び第２圧搾溝２３２の２つの円弧の位置は、第１圧搾溝２３１の両端部２３１ａ、２３１ｂを結ぶ線分が延びる方向又は第２圧搾溝２３２の両端部２３２ａ、２３２ｂを結ぶ線分が延びる方向で見て、互いにずらされていることが好ましい。例えば、図５に示すように、第１圧搾溝２３１の両端部２３１ａ、２３１ｂを結ぶ線分を含む直線Ｘ１が延びる方向で見て、第１圧搾溝２３１の一端２３１ａの位置と、第２圧搾溝２３２の一端２３１ａの位置とがずらされており、第１圧搾溝２３１の他端２３１ｂの位置と、第２圧搾溝の２３２の他端２３２ｂの位置とがずらされていてよい。
【００６４】
具体的には、第１圧搾溝２３１の両端部２３１ａ、２３１ｂを結ぶ線分が延びる方向で見て、第２圧搾溝２３２の、中央部圧搾溝２１に近い方の端部２３２ａが、第１圧搾溝２３１の、中央部圧搾溝２１に近い方の端部２３１ａの位置に対して上記方向の一方側にずらされており、第２圧搾溝２３２の、中央部圧搾溝２１から遠い方の端部２３２ｂの位置が、第１圧搾溝２３１の、中央部圧搾溝２１から遠い方の端部２３１ｂの位置に対して、上記一方側にずらされていてよい。
【００６５】
上記のような第１圧搾溝２３１と第２圧搾溝２３２とのずらされた配置によって、体液が前側方圧搾溝２３へ流入するための入口を適切な幅とすることができ、且つ前側方圧搾溝２３内での体液の方向付けを容易にできる。そのため、体液を第１圧搾溝２３１と第２圧搾溝２３２との間へ引き込む作用、及び体液を蛇行させて誘導する作用も一層高められるので、急激な体液の排出が起こった場合でも、特に側方からの漏れを良好に防止することができる。また、圧搾溝同士が過度に近接することによって吸収体が過度に圧縮され、硬くなることも防止できる。
【００６６】
さらに、図５に示すように、第１圧搾溝２３１の両端部２３１ａ、２３１ｂを結ぶ線分を含む直線Ｘ１が延びる方向で見て、第１圧搾溝２３１の両端部２３１ａ、２３１ｂを結ぶ線分の中点Ｏ１と第２圧搾溝２３２の、中央部圧搾溝２１に近い方の端部２３２ａとの距離ｄは、第１圧搾溝２３１の両端部２３１ａ、２３１ｂを結ぶ線分の距離Ｄの０〜０．１５倍であることが好ましい。特に、直線Ｘ１が延びる方向で見て、第１圧搾溝２３１の両端部２３１ａ、２３１ｂを結ぶ線分の中点Ｏ１と第２圧搾溝２３２の、中央部圧搾溝２１に近い方の端部２３２ａとが一致する位置に配置されていると好ましい。また、第１圧搾溝２３１の両端部２３１ａ、２３１ｂを結ぶ線分の中点Ｏ１と第２圧搾溝２３２の端部２３２ａとの配置は、第２圧搾溝２３２の端部２３２ａの方が、中点Ｏ１よりも中心線ＣＬに近付いていた方が、毛細管現象の発現をより良好に促進することができるため、好ましい。
【００６７】
第１圧搾溝２３１と第２圧搾溝２３２とが上記のように所定の距離でずらされていることにより、体液を第１圧搾溝２３１と第２圧搾溝２３２との間に引き込む作用をさらに一層高められる。また、吸収体が硬くなることを防止できるので、装着感を一層向上させることができる。
【００６８】
なお、第１圧搾溝２３１の両端部２３１ａ、２３１ｂを結ぶ線分の長さ及び／又は第２圧搾溝２３２の両端部２３２ａ、２３２ｂを結ぶ線分の長さは、１０〜２０ｍｍ程度であると、体液を引き込む作用を維持しつつ、ごわつきも抑えることができるので、好ましい。
【００６９】
本形態では、図４に示すように、第１圧搾溝２３１の両端部２３１ａ、２３１ｂを結ぶ線分と、第２圧搾溝２３２の両端部２３２ａ、２３２ｂを結ぶ線分との距離ｅを、中心線ＣＬに近い方の第１圧搾溝２３１の両端部２３１ａ、２３１ｂを結ぶ線分の長さの０〜０．２倍とすることができる。ここで、距離ｅは、第１圧搾溝２３１の両端部２３１ａ、２３１ｂを結ぶ線分と、第２圧搾溝２３２の両端部２３２ａ、２３２ｂを結ぶ線分との間の最小の距離とすることができる。
【００７０】
第１圧搾溝２３１の両端部２３１ａ、２３１ｂを結ぶ線分と、第２圧搾溝２３２の両端部２３２ａ、２３２ｂを結ぶ線分とは離間していることが好ましい。例えば、距離ｅは、第１圧搾溝２３１の両端部２３１ａ、２３１ｂを結ぶ線分の長さの０．０５〜０．１５倍程度であると好ましい。この構成によって、第１圧搾溝２３１と第２圧搾溝２３２との間に体液を引き込む効果を一層向上させることができると共に、ごわつきも抑えることができる。
【００７１】
距離ｅが０である場合、すなわち、第１圧搾溝２３１の両端部２３１ａ、２３１ｂを結ぶ線分が延びる方向で見て、第１圧搾溝２３１の両端部２３１ａ、２３１ｂを結ぶ線分と、第２圧搾溝２３２の両端部２３２ａ、２３２ｂを結ぶ線分との位置が重なる場合には、上述のように、第１圧搾溝２３１の両端部２３１ａ、２３１ｂを結ぶ線分が延びる方向で見て、第１圧搾溝２３１の一端２３１ａと第２圧搾溝２３２の一端２３２ａとが互いにずらされ、且つ第１圧搾溝２３１の他端２３１ｂと第２圧搾溝２３２の他端２３２ｂとが互いにずらされていることが好ましい。これにより、第１圧搾溝２３１と第２圧搾溝２３２との間に体液を良好に拡散及び保持できる領域を形成することができる。
【００７２】
また、図示の形態のように、第１圧搾溝２３１の両端部２３１ａ、２３１ｂを結ぶ線分と、第２圧搾溝２３２の両端部２３２ａ、２３２ｂを結ぶ線分とは略平行に延びていることが好ましい。ここで、略平行とは、厳密な平行を指すのではなく、±１５°以下の角度をなしていてよく、±５°以下の角度をなしていることが好ましい。
【００７３】
また、第１圧搾溝２３１及び第２圧搾溝２３２の円弧形状はいずれも、１３５°〜１８０°の角度を有する円弧とすることが好ましい。上記角度とすることで、向かい合う第１圧搾溝２３１と第２圧搾溝２３２との間へ体液を引き込む作用を維持しつつ、圧搾溝同士が過度に近接して本体８が硬くなることを防止できる。
【００７４】
なお、第１圧搾溝及び第２圧搾溝は円弧形状を有するが、本明細書において、円とは、真円だけでなく、楕円も含む。よって、前側方圧搾溝２３及び後側方圧搾溝２４の第１圧搾溝及び第２圧搾溝の円弧は、真円の一部であってもよいし、楕円の一部であってもよい。或いは、円又は楕円の一部を含み、両端部が直線に近似できる形状であってもよい。
【００７５】
図６に、第１圧搾溝２３１及び第２圧搾溝２３２の別の形態を示す。図６（ａ）には、第１圧搾溝２３１及び第２圧搾溝２３２の円弧の角度βがそれぞれ、１５０°程度になっているものを示す。このような形状にすることで、圧搾溝同士が過度に近接して本体８が硬くなることを防止できるので、小さいサイズの吸収性物品においても、ごわつきを防止でき、装着感を向上させることができる。
【００７６】
また、図６（ｂ）に、第１圧搾溝２３１及び第２圧搾溝２３２がそれぞれ、楕円形状の一部となっているものを示す。この形状によって、体液の拡散距離を増やすことができ、急激な体液の排出があっても漏れを良好に防止することができる。また、圧搾溝同士が過度に近接して本体８が硬くなることを防止できるので、違和感の軽減にも寄与することができる。
【符号の説明】
【００７７】
１  吸収性物品
２  裏面シート
３  表面シート
４  吸収体
５  被包シート
７  サイド不織布
８  本体（吸収性物品本体）
１３  体液排出部対応領域
２１  中央部圧搾溝
２３  前側方圧搾溝
２４  後側方圧搾溝
２５  前方圧搾溝
２６  後方圧搾溝
２３１  前側方圧搾溝の第１圧搾溝
２３２  前側方圧搾溝の第２圧搾溝
２４１  後側方圧搾溝の第１圧搾溝
２４２  後側方圧搾溝の第２圧搾溝
ＷＧ  ウィング
ＣＬ  前後方向中心線
【図１】
2018083016.tif 000003
【図２】
2018083016.tif 000004
【図３】
2018083016.tif 000005
【図４】
2018083016.tif 000006
【図５】
2018083016.tif 000007
【図６】
2018083016.tif 000008